【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
頭部搭載型ディスプレイシステムであって、
視認者上に搭載するように構成されるフレームと、
空間的に明確に異なる光出力場所から光を出力するように構成される光源と、
前記光源からの光を変調するように構成される空間光変調器と、
前記空間光変調器からの光を視認者の眼の中に指向するように構成される投影光学と
を備え、
前記ディスプレイシステムは、前記オブジェクトの視差的に異なる瞳孔内画像のセットを前記眼の中に投入することによって、仮想オブジェクトを深度平面上に表示するように構成され、前記視差的に異なる瞳孔内画像のセットを投入することは、前記視認者からの前記深度平面の距離に基づいて光出力場所を選択することを含む、ディスプレイシステム。
【請求項２】
前記ディスプレイシステムは、複数の空間的に多重化された瞳孔内画像の表示を時間的に多重化するように構成される、請求項１に記載のディスプレイシステム。
【請求項３】
前記投影光学は、前記空間光変調器からの変調された光を内部結合するように構成される内部結合光学要素と、前記視認者の前記眼に前記内部結合された光を出力するように構成される外部結合光学要素とを備える導波管を備える、請求項１に記載のディスプレイシステム。
【請求項４】
前記光源は、複数の選択的にアクティブ化される発光領域を備える、請求項１に記載のディスプレイシステム。
【請求項５】
前記ディスプレイシステムは、前記眼の中への前記瞳孔内画像のうちの少なくとも１つの投入の間、アクティブ化される光出力場所の位置を変化させるように構成される、請求項４に記載のディスプレイシステム。
【請求項６】
前記光源は、
光エミッタと、
前記光エミッタからの光を前記空間光変調器に異なる経路に沿って指向するように構成されるアクチュエータと
を備える、請求項１に記載のディスプレイシステム。
【請求項７】
前記アクチュエータは、２軸検流計である、請求項６に記載のディスプレイシステム。
【請求項８】
前記光源は、ファイバスキャナを備え、前記光エミッタおよびアクチュエータは、前記ファイバスキャナの一部を形成する、請求項６に記載のディスプレイシステム。
【請求項９】
前記眼の視線を追跡するように構成される眼追跡センサをさらに備え、前記ディスプレイシステムは、
前記眼追跡センサを使用して、前記眼の視線を決定することと、
前記眼の決定された視線に基づいて、前記瞳孔内画像のためのコンテンツを選択することと
を行うように構成される、請求項１に記載のディスプレイシステム。
【請求項１０】
光学機構を前記空間光変調器と前記投影光学との間にさらに備え、前記光学機構は、前記空間光変調器の異なる場所からの光を異なる角度で投影光学に指向するように構成される、請求項１に記載のディスプレイシステム。
【請求項１１】
画像コンテンツを表示するための方法であって、前記方法は、
空間光変調器を提供することと、
複数の異なる光出力場所から前記空間光変調器に光を出力するように構成される光源を提供することと、
仮想オブジェクトの視差的に異なる瞳孔内画像のセットを視認者の眼の中に投入することによって、前記仮想オブジェクトを深度平面上に表示することであって、前記瞳孔内画像はそれぞれ、
前記光源からの光を前記空間光変調器に出力することであって、前記光は、前記光源の１つ以上の関連付けられた光出力場所から出力され、前記光源からの光を出力することは、前記深度平面に基づいて前記１つ以上の関連付けられた光出力場所を選択することを含み、前記瞳孔内画像のための前記選択された光出力場所間の物理的分離は、前記深度平面から前記視認者までの距離の減少に伴って増加する、ことと、
前記空間光変調器を用いて、前記光を変調し、前記１つ以上の関連付けられた光出力場所に対応する瞳孔内画像を形成することと、
前記変調された光を前記眼に伝搬させることと
によって形成され、瞳孔内画像毎の前記１つ以上の関連付けられた光出力場所は、前記瞳孔内画像のうちの他のもののための前記１つ以上の関連付けられた光出力場所と明確に異なる、ことと
を含む、方法。
【請求項１２】
視差的に異なる瞳孔内画像のセットの各画像を投入することは、前記視認者のフリッカ融合閾値を下回る時間フレーム内で行われる、請求項１１に記載の方法。
【請求項１３】
前記眼の視線を追跡するように構成される眼追跡センサをさらに備え、前記仮想オブジェクトを表示することは、
前記眼追跡センサを使用して、前記眼の視線を決定することと、
前記眼の決定された視線に基づいて、前記瞳孔内画像のためのコンテンツを選択することと
を含む、請求項１１に記載の方法。
【請求項１４】
前記瞳孔内画像のための前記１つ以上の関連付けられた発光領域は、部分的に重複する、請求項１１に記載の方法。
【請求項１５】
前記眼の中への前記瞳孔内画像のうちの少なくとも１つの投入の間、前記１つ以上の関連付けられた発光領域の位置を変化させることをさらに含む、請求項１１に記載の方法。
【請求項１６】
前記視認者の眼からの前記深度平面の距離の増加に伴って、前記光出力場所間の側方分離を増加させるように構成される、請求項１に記載のディスプレイシステム。
【請求項１７】
前記ディスプレイシステムは、前記眼の中への前記瞳孔内画像のうちの少なくとも１つの投入の間、前記光出力場所を変化させるように構成される、請求項１に記載のディスプレイシステム。
【請求項１８】
画像コンテンツを表示するための方法であって、前記方法は、
頭部搭載型ディスプレイを提供することと、
フリッカ融合閾値内において、仮想オブジェクトの視差的に異なる瞳孔内画像のセットを前記ディスプレイから視認者の眼の中に投入することによって、前記仮想オブジェクトを深度平面上に表示することと、
前記瞳孔内画像の視差差を変化させることによって、前記仮想オブジェクトが配置される深度平面を変化させることと
を含む、方法。
【請求項１９】
前記ディスプレイは、
光を変調し、前記瞳孔内画像を形成するように構成される空間光変調器と、
光を前記空間光変調器に指向するように構成される光源と
を備え、前記光源は、複数の選択的にアクティブ化される発光領域を備え、前記視差的に異なる瞳孔内画像のセットを投入することは、各瞳孔内画像に対して異なる発光領域をアクティブ化することを含む、請求項１８に記載の方法。
【請求項２０】
前記光源は、複数の明確に異なる光出力場所からの光を出力するように構成され、前記眼の中への前記瞳孔内画像のうちの少なくとも１つの投入の間、前記光出力場所をジッタさせることをさらに含む、請求項１９に記載の方法。
【手続補正２】
【補正対象書類名】明細書
【補正対象項目名】００１１
【補正方法】変更
【補正の内容】
【００１１】
加えて、本開示に説明される主題の種々の革新的側面は、以下の実施形態において実装されてもよい。
１．画像コンテンツを表示するための方法であって、
空間光変調器を提供するステップと、
光を空間光変調器に複数の異なる光出力場所から出力するように構成される、光源を提供するステップと、
仮想オブジェクトの視差的に異なる瞳孔内画像のセットを視認者の眼の中に時間的に連続して投入することによって、仮想オブジェクトを深度平面上に表示するステップであって、瞳孔内画像はそれぞれ、
光源からの光を空間光変調器に出力するステップであって、光は、光源の１つ以上の関連付けられた光出力場所から出力される、ステップと、
空間光変調器を用いて、光を変調し、１つ以上の関連付けられた光出力場所に対応する瞳孔内画像を形成するステップと、
変調された光を眼に伝搬させるステップと、
によって形成され、瞳孔内画像の各々に対する１つ以上の関連付けられた光出力場所は、瞳孔内画像のその他のための１つ以上の関連付けられた光出力場所と明確に異なる、ステップと、
を含む、方法。
２．１つ以上の関連付けられた発光領域をアクティブ化するステップは、深度平面に基づいて、１つ以上の関連付けられた発光領域を選択するステップを含み、瞳孔内画像のための発光領域間の物理的分離は、深度平面から視認者までの距離の減少に伴って増加する、実施形態１に記載の方法。
３．視差的に異なる画像のそれぞれを形成する光線は、コリメートされ、深度平面は、光学無限遠未満にある、実施形態１−２のいずれかに記載の方法。
４．視差的に異なる瞳孔内画像のセットを投入するステップは、視認者のフリッカ融合閾値を下回る時間フレーム内で行われる、実施形態１−３のいずれかに記載の方法。
５．フリッカ融合閾値は、１秒の１／６０である、実施形態４に記載の方法。
６．眼の視線を追跡するように構成される、眼追跡センサをさらに備え、仮想オブジェクトを表示するステップは、
眼追跡センサを使用して、眼の視線を決定するステップと、
眼の決定された視線に基づいて、瞳孔内画像のためのコンテンツを選択するステップと、を含む、実施形態１−５のいずれかに記載の方法。
７．空間光変調器からの変調された光を眼に指向するように構成される、投影光学をさらに備える、実施形態１−６のいずれかに記載の方法。
８．瞳孔内画像のための１つ以上の関連付けられた発光領域は、部分的に重複する、実施形態１−７のいずれかに記載の方法。
９．眼の中への瞳孔内画像のうちの少なくとも１つの投入の間、１つ以上の関連付けられた発光領域の位置を変化させるステップをさらに含む、実施形態１−８のいずれかに記載の方法。
１０．実施形態１−９のいずれかに記載の方法を実施するように構成される、ディスプレイシステム。
１１．画像コンテンツを表示するための方法であって、
光源と、
空間光変調器と、
を備える、頭部搭載型ディスプレイを提供するステップと、
フリッカ融合閾値内において、仮想オブジェクトの視差的に異なる瞳孔内画像のセットをディスプレイから視認者の眼の中に投入することによって、仮想オブジェクトを深度平面上に表示するステップと、
を含む、方法。
１２．視差的に異なる瞳孔内画像のセットを投入するステップは、瞳孔内画像の個々のものを視認者の眼の中に時間的に連続して投入するステップを含む、実施形態１１に記載の方法。
１３．視差的に異なる瞳孔内画像のセットを投入するステップは、瞳孔内画像の複数のものを同時に投入するステップを含む、実施形態１１に記載の方法。
１４．視差的に異なる瞳孔内画像のセットを投入するステップは、複数の瞳孔内画像を一度に時間的に連続して投入するステップを含む、実施形態１３に記載の方法。
１５．瞳孔内画像を形成する光ビームは、コリメートされる、実施形態１１−１４のいずれかに記載の方法。
１６．瞳孔内画像を形成する光ビームは、発散波面を有する、実施形態１１−１４のいずれかに記載の方法。
１７．光源は、複数の選択的にアクティブ化される発光領域を備え、視差的に異なる瞳孔内画像のセットを投入するステップは、瞳孔内画像毎に異なる発光領域をアクティブ化するステップを含む、実施形態１１−１６のいずれかに記載の方法。
１８．光源は、複数の明確に異なる光出力場所からの光を出力するように構成され、眼の中への瞳孔内画像のうちの少なくとも１つの投入の間、光出力場所をジッタさせるステップをさらに含む、実施形態１１−１７のいずれかに記載の方法。
１９．実施形態１１−１８のいずれかに記載の方法を実施するように構成される、ディスプレイシステム。
２０．頭部搭載型ディスプレイシステムであって、
視認者上に搭載するように構成される、フレームと、
光源と、
光源からの光を変調するように構成される、空間光変調器と、
フレーム上に搭載され、空間光変調器からの光を視認者の眼の中に指向するように構成される、投影光学と、
を備え、ディスプレイシステムは、オブジェクトの視差的に異なる瞳孔内画像のセットを眼の中に投入することによって、仮想オブジェクトを深度平面上に表示するように構成される、ディスプレイシステム。
２１．ディスプレイシステムは、個々の瞳孔内画像の表示を時間的に多重化するように構成される、実施形態２０に記載のディスプレイシステム。
２２．ディスプレイシステムは、瞳孔内画像の表示を空間的に多重化するように構成される、実施形態２０−２１のいずれかに記載のディスプレイシステム。
２３．ディスプレイシステムは、複数の空間的に多重化された瞳孔内画像の表示を時間的に多重化するように構成される、実施形態２０−２２のいずれかに記載のディスプレイシステム。
２４．投影光学は、内部結合光学要素と、外部結合光学要素とを備える、導波管を備える、実施形態２０−２３のいずれかに記載のディスプレイシステム。
２５．投影光学は、複数の導波管を備え、各導波管は、複数の導波管の他の導波管と異なる原色の光を出力するように構成される、実施形態２４に記載のディスプレイシステム。２６．光源は、複数の選択的にアクティブ化される発光領域を備える、実施形態２０−２５のいずれかに記載のディスプレイシステム。
２７．光源は、発光ダイオードアレイおよび空間光変調器のうちの少なくとも１つを含む、実施形態２６に記載のディスプレイシステム。
２８．発光ダイオードアレイは、有機発光ダイオードアレイまたは無機発光ダイオードアレイを備える、実施形態８に記載のディスプレイシステム。
２９．空間光変調器光源は、液晶アレイまたはデジタル光処理（ＤＬＰ）チップを備える、実施形態２７に記載のディスプレイシステム。
３０．ディスプレイシステムは、眼の中への瞳孔内画像のうちの少なくとも１つの投入の間、アクティブ化される発光領域の位置を変化させるように構成される、実施形態２０−２９のいずれかに記載のディスプレイシステム。
３１．光源は、
光エミッタと、
光を空間光変調器に異なる経路に沿って指向するように構成される、アクチュエータと、を備える、実施形態２０−２５のいずれかに記載のディスプレイシステム。
３２．アクチュエータは、２軸検流計である、実施形態３１に記載のディスプレイシステム。
３３．光源は、ファイバスキャナである、実施形態３１に記載のディスプレイシステム。３４．光源からの光を変調するように構成される、空間光変調器は、ＬＣＯＳパネルを備える、実施形態２０−３３のいずれかに記載のディスプレイシステム。
３５．眼の視線を追跡するように構成される、眼追跡センサをさらに備え、ディスプレイシステムは、
眼追跡センサを使用して、眼の視線を決定し、
眼の決定された視線に基づいて、瞳孔内画像のためのコンテンツを選択する、
ように構成される、実施形態２０−３４のいずれかに記載のディスプレイシステム。
３６．ディスプレイシステムは、光源の光出力場所と空間光変調器によって提供される画像コンテンツを同期させるように構成される、実施形態２０−３５のいずれかに記載のディスプレイシステム。
３７．光学機構を空間光変調器と投影光学との間にさらに備え、光学機構は、空間光変調器の異なる場所からの光を投影光学に異なる角度で指向するように構成される、実施形態２０−３６のいずれかに記載のディスプレイシステム。
３８．光学機構は、プリズムまたはレンズ構造のうちの１つ以上のものを備える、実施形態３７に記載のディスプレイシステム。
３９．レンズ構造は、レンズレットアレイである、実施形態３８に記載のディスプレイシステム。
４０．ディスプレイシステムであって、
複数の空間的に明確に異なる光出力場所を備える、光源と、
光源からの光を変調するように構成される、空間光変調器と、
フレーム上に搭載され、空間光変調器からの光を視認者の眼の中に指向するように構成される、投影光学と、
を備え、ディスプレイシステムは、オブジェクトの視差的に異なる瞳孔内画像のセットを眼の中に時間的に連続して投入することによって、仮想オブジェクトを深度平面上に表示するように構成される、ディスプレイシステム。
４１．異なる瞳孔内画像のための光源の異なる光出力場所からの光を出力するように構成される、実施形態４０に記載のディスプレイシステム。
４２．視認者の眼からの深度平面の距離に基づいて、光出力場所間の側方分離を変動させるように構成される、実施形態４１に記載のディスプレイシステム。
４３．視認者の眼からの深度平面の距離の増加に伴って、光出力場所間の側方分離を増加させるように構成される、実施形態４１−４２のいずれかに記載のディスプレイシステム。
４４．ディスプレイシステムは、眼の中への瞳孔内画像のうちの少なくとも１つの投入の間、光出力場所を変化させるように構成される、実施形態４１−４２のいずれかに記載のディスプレイシステム。
本発明は、例えば、以下を提供する。
（項目１）
頭部搭載型ディスプレイシステムであって、
視認者上に搭載するように構成されるフレームと、
光源と、
前記光源からの光を変調するように構成される空間光変調器と、
前記フレーム上に搭載され、前記空間光変調器からの光を視認者の眼の中に指向するように構成される投影光学と
を備え、
前記ディスプレイシステムは、前記オブジェクトの視差的に異なる瞳孔内画像のセットを前記眼の中に投入することによって、仮想オブジェクトを深度平面上に表示するように構成される、ディスプレイシステム。
（項目２）
前記ディスプレイシステムは、個々の瞳孔内画像の表示を時間的に多重化するように構成される、項目１に記載のディスプレイシステム。
（項目３）
前記ディスプレイシステムは、前記瞳孔内画像の表示を空間的に多重化するように構成される、項目１に記載のディスプレイシステム。
（項目４）
前記ディスプレイシステムは、複数の空間的に多重化された瞳孔内画像の表示を時間的に多重化するように構成される、項目１に記載のディスプレイシステム。
（項目５）
前記投影光学は、内部結合光学要素と、外部結合光学要素とを備える導波管を備える、項目５に記載のディスプレイシステム。
（項目６）
前記投影光学は、複数の導波管を備え、各導波管は、前記複数の導波管の他の導波管と異なる原色の光を出力するように構成される、項目５に記載のディスプレイシステム。
（項目７）
前記光源は、複数の選択的にアクティブ化される発光領域を備える、項目１に記載のディスプレイシステム。
（項目８）
前記光源は、発光ダイオードアレイおよび空間光変調器のうちの少なくとも１つを備える、項目７に記載のディスプレイシステム。
（項目９）
前記発光ダイオードアレイは、有機発光ダイオードアレイまたは無機発光ダイオードアレイを備える、項目８に記載のディスプレイシステム。
（項目１０）
空間光変調器光源は、液晶アレイまたはデジタル光処理（ＤＬＰ）チップを備える、項目８に記載のディスプレイシステム。
（項目１１）
前記ディスプレイシステムは、前記眼の中への前記瞳孔内画像のうちの少なくとも１つの投入の間、アクティブ化される発光領域の位置を変化させるように構成される、項目７に記載のディスプレイシステム。
（項目１２）
前記光源は、
光エミッタと、
光を前記空間光変調器に異なる経路に沿って指向するように構成されるアクチュエータと
を備える、項目１に記載のディスプレイシステム。
（項目１３）
前記アクチュエータは、２軸検流計である、項目１２に記載のディスプレイシステム。
（項目１４）
前記光源は、ファイバスキャナを備える、項目１２に記載のディスプレイシステム。
（項目１５）
前記光源からの光を変調するように構成される前記空間光変調器は、ＬＣＯＳパネルを備える、項目１に記載のディスプレイシステム。
（項目１６）
前記眼の視線を追跡するように構成される眼追跡センサをさらに備え、前記ディスプレイシステムは、
前記眼追跡センサを使用して、前記眼の視線を決定することと、
前記眼の決定された視線に基づいて、前記瞳孔内画像のためのコンテンツを選択することと
を行うように構成される、項目１に記載のディスプレイシステム。
（項目１７）
前記ディスプレイシステムは、前記光源の光出力場所と前記空間光変調器によって提供される画像コンテンツとを同期させるように構成される、項目１に記載のディスプレイシステム。
（項目１８）
光学機構を前記空間光変調器と前記投影光学との間にさらに備え、前記光学機構は、前記空間光変調器の異なる場所からの光を異なる角度で投影光学に指向するように構成される、項目１に記載のディスプレイシステム。
（項目１９）
前記光学機構は、プリズムまたはレンズ構造のうちの１つ以上のものを備える、項目１８に記載のディスプレイシステム。
（項目２０）
前記レンズ構造は、レンズレットアレイである、項目１９に記載のディスプレイシステム。
（項目２１）
画像コンテンツを表示するための方法であって、前記方法は、
空間光変調器を提供することと、
複数の異なる光出力場所から前記空間光変調器に光を出力するように構成される光源を提供することと、
仮想オブジェクトの視差的に異なる瞳孔内画像のセットを視認者の眼の中に時間的に連続して投入することによって、前記仮想オブジェクトを深度平面上に表示することであって、前記瞳孔内画像はそれぞれ、
前記光源からの光を前記空間光変調器に出力することであって、前記光は、前記光源の１つ以上の関連付けられた光出力場所から出力される、ことと、
前記空間光変調器を用いて、前記光を変調し、前記１つ以上の関連付けられた光出力場所に対応する瞳孔内画像を形成することと、
前記変調された光を前記眼に伝搬させることと
によって形成され、瞳孔内画像毎の前記１つ以上の関連付けられた光出力場所は、前記瞳孔内画像のうちの他のもののための前記１つ以上の関連付けられた光出力場所と明確に異なる、ことと
を含む、方法。
（項目２２）
前記１つ以上の関連付けられた発光領域をアクティブ化することは、前記深度平面に基づいて、前記１つ以上の関連付けられた発光領域を選択することを含み、前記瞳孔内画像のための発光領域間の物理的分離は、前記深度平面から前記視認者までの距離の減少に伴って増加する、項目２１に記載の方法。
（項目２３）
前記視差的に異なる画像のそれぞれを形成する光線は、コリメートされ、前記深度平面は、光学無限遠未満にある、項目２１に記載の方法。
（項目２４）
視差的に異なる瞳孔内画像のセットを投入することは、前記視認者のフリッカ融合閾値を下回る時間フレーム内で行われる、項目２１に記載の方法。
（項目２５）
前記フリッカ融合閾値は、１秒の１／６０である、項目２４に記載の方法。
（項目２６）
前記眼の視線を追跡するように構成される眼追跡センサをさらに備え、前記仮想オブジェクトを表示することは、
前記眼追跡センサを使用して、前記眼の視線を決定することと、
前記眼の決定された視線に基づいて、前記瞳孔内画像のためのコンテンツを選択することと
を含む、項目２１に記載の方法。
（項目２７）
前記空間光変調器からの変調された光を前記眼に指向するように構成される投影光学をさらに備える、項目２１に記載の方法。
（項目２８）
前記瞳孔内画像のための前記１つ以上の関連付けられた発光領域は、部分的に重複する、項目２１に記載の方法。
（項目２９）
前記眼の中への前記瞳孔内画像のうちの少なくとも１つの投入の間、前記１つ以上の関連付けられた発光領域の位置を変化させることをさらに含む、項目２１に記載の方法。
（項目３０）
ディスプレイシステムであって、
複数の空間的に明確に異なる光出力場所を備える光源と、
前記光源からの光を変調するように構成される空間光変調器と、
フレーム上に搭載され、前記空間光変調器からの光を視認者の眼の中に指向するように構成される投影光学と
を備え、
前記ディスプレイシステムは、オブジェクトの視差的に異なる瞳孔内画像のセットを前記眼の中に時間的に連続して投入することによって、仮想オブジェクトを深度平面上に表示するように構成される、ディスプレイシステム。
（項目３１）
異なる瞳孔内画像のための前記光源の異なる光出力場所からの光を出力するように構成される、項目３０に記載のディスプレイシステム。
（項目３２）
前記視認者の眼からの前記深度平面の距離に基づいて、前記光出力場所間の側方分離を変動させるように構成される、項目３０に記載のディスプレイシステム。
（項目３３）
前記視認者の眼からの前記深度平面の距離の増加に伴って、前記光出力場所間の側方分離を増加させるように構成される、項目３０に記載のディスプレイシステム。
（項目３４）
前記ディスプレイシステムは、前記眼の中への前記瞳孔内画像のうちの少なくとも１つの投入の間、前記光出力場所を変化させるように構成される、項目３０に記載のディスプレイシステム。
（項目３５）
画像コンテンツを表示するための方法であって、前記方法は、
頭部搭載型ディスプレイを提供することと、
フリッカ融合閾値内において、仮想オブジェクトの視差的に異なる瞳孔内画像のセットを前記ディスプレイから視認者の眼の中に投入することによって、仮想オブジェクトを深度平面上に表示することと
を含む、方法。
（項目３６）
前記瞳孔内画像の視差差を変化させることによって、前記仮想オブジェクトが配置される深度平面を変化させることをさらに含む、項目３５に記載の方法。
（項目３７）
視差的に異なる瞳孔内画像のセットを投入することは、前記瞳孔内画像の個々のものを視認者の眼の中に時間的に連続して投入することを含む、項目３５に記載の方法。
（項目３８）
視差的に異なる瞳孔内画像のセットを投入することは、前記瞳孔内画像の複数のものを同時に投入することを含む、項目３５に記載の方法。
（項目３９）
視差的に異なる瞳孔内画像のセットを投入することは、複数の瞳孔内画像を一度に時間的に連続して投入することを含む、項目３８に記載の方法。
（項目４０）
前記瞳孔内画像を形成する光ビームは、コリメートされる、項目３５に記載の方法。
（項目４１）
前記瞳孔内画像を形成する光ビームは、発散波面を有する、項目３５に記載の方法。
（項目４２）
前記ディスプレイは、
光を変調し、前記瞳孔内画像を形成するように構成される空間光変調器と、
光を前記空間光変調器に指向するように構成される光源と
を備える、項目３５に記載の方法。
（項目４３）
前記光源は、複数の選択的にアクティブ化される発光領域を備え、視差的に異なる瞳孔内画像のセットを投入することは、瞳孔内画像の各々に対して異なる発光領域をアクティブ化することを含む、項目４２に記載の方法。
（項目４４）
前記光源は、複数の明確に異なる光出力場所からの光を出力するように構成され、前記眼の中への前記瞳孔内画像のうちの少なくとも１つの投入の間、前記光出力場所をジッタさせることをさらに含む、項目４２に記載の方法。